(57)【要約】      （修正有）【課題】従来においてはテラヘルツ波照射を浴びさせた各種の商材の人間の健康面への影響を確認するには、体感的、又は主観的な推測に委ねられていた。本発明は、科学的に数値データでの効果確認の手段を提供する。【解決手段】侵襲をともなわない検体液であるヒト唾液ＯＲＰで厚生省認可の「ＯＲＰreaderオルプリーダー」ヒト唾液ＯＲＰ測定装置ｂを備え，テラヘルツ照射波共鳴電磁波装置ａによって、人間の健康面への影響を科学的に客観的な数値データを通して、目に見えない体内の酸化（体調不良）状態、精神的なストレス状態、薬物スクリーニングの３つの測定項目手段とする可視化で、テラヘルツ照射波効果を実証することができる。ゆえに、０．１〜１００テラヘルツおよび波長３〜３０００μｍのエネルギー帯の前記テラヘルツ電磁波照射効果の実証装置である。【選択図】図１
2020204567.tif 000002
【特許請求の範囲】
【請求項１】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射対象は、家具使用の木材、食用使用の木材、住宅使用の木材、楽器使用の木材、運動用具使用の木材、味噌、醤油、酒樽などの木材乾燥の何れかであり、乾燥する際の作業者又はこれを利用する人の体調度数値又はストレス度数値から、前記テラヘルツ電磁波の照射効果を把握することを特徴とするテラヘルツ電磁波照射効果の実証装置。
【請求項２】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射対象は、紅色合成細菌の一種である微生物肥料、嫌気性バクテリア、又は好気性バクテリアの何れかであり、テラ照射された肥料により育成された植物を食した人の体調度数値又はストレス度数値から、前記テラヘルツ電磁波の照射効果を把握することを特徴とするテラヘルツ電磁波照射効果の実証装置。
【請求項３】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、人間又は動物の頭部又は身体の全部又は一部の何れかであり、体調度数値又はストレス度数値から、前記テラヘルツ電磁波の照射効果を把握することを特徴とするテラヘルツ電磁波照射効果の実証装置。
【請求項４】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射対象は、オートバイ、電気自動車、電車、各種生産工場、大規模施設、パソコン、携帯電話などに用いられる各種二次電池として使用される鉛電池、ニッケル電池、リチウムイオン電池、ＮＡＳ電池、バナジューム固形電池、キャパシタ電池、又は全固体電池の何れかであり、前記オートバイ、電気自動車、又は電車などを利用する人の体調度数値又はストレス度数値から、前記テラヘルツ電磁波の照射効果を把握することを特徴とするテラヘルツ電磁波照射効果の実証装置。
【請求項５】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、電柱に設置の変圧器、プリント基盤、電源配線、工場若しくは住宅用の配電盤若しくは分電盤、又は制御盤、送電線、電気部品、又は電子部品の何れかであり、前記工場又は住宅内にいる人の体調度数値又はストレス度数値から、前記テラヘルツ電磁波の照射効果を把握することを特徴とするテラヘルツ電磁波照射効果の実証装置。
【請求項６】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射対象は、テラヘルツ照射対象は、粉珈琲、焙煎コーヒー豆、焙煎前の珈琲生まめの何れかであり、これらの対象物を利用する人の体調度数値又はストレス度数値から、前記テラヘルツ電磁波の照射効果を把握することを特徴とするテラヘルツ電磁波照射効果の実証装置。
【請求項７】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射対象は、飲料水、又は固形物の充填容器としての、ガラス瓶容器、プラスチック容器、竹筒容器、紙容器、生鮮食品又は加工食品鮮度保持フイルムの何れかであり、これを利用する人の体調度数値又はストレス度数値から、前記テラヘルツ電磁波の照射効果を把握することを特徴とするテラヘルツ電磁波照射効果の実証装置。
【請求項８】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、
を有し、 
テラヘルツ照射対象は、ノニ実（葉も含む）、又はモリンガの実（葉も含む）、アセロラ、グズベリー、ライチ、又はグァバの実、パラミツの実、ジャボチカバの実、これら収穫果実のなま物（絞り油を含む）、果実の加工生産物、ジュース若しくはその粉末、又は加工冷凍品の何れかであり、これを利用する人の体調度数値又はストレス度数値から、前記テラヘルツ電磁波の照射効果を把握することを特徴とするテラヘルツ電磁波照射効果の実証装置。
【請求項９】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、生産ラインで組み立て使用する各種部材として乗り物組み立てライン、工業製品製造組み立てライン、食糧栽培および食料製品加工乾燥製造ライン、日用生活用具の生産ライン、学校又は職場で日用生活のメンタル面の癒やし遊具の生産ライン、各種スポーツ競技用体操用具の生産ライン、各種楽器の生産ライン、各種医療機器の生産ライン、各種植物生育生産ライン、各種医療機器の生産ラインの何れかであり、この生産ラインで働く人の体調度数値又はストレス度数値から、前記テラヘルツ電磁波の照射効果を把握することを特徴とするテラヘルツ電磁波照射効果の実証装置。
【請求項１０】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射対象は、日用生活のメンタル面の癒やし用具としての遊具又は各種スポーツ用具であり、前記遊具のうち移動遊具は、お手玉、おはじき、折り紙、けん玉、凧、独楽、こま、かるた、トランプ、メンコ、ベーゴマ、竹馬、羽子板、ビー玉、鞠、毬、積木、縄跳び、三輪車、自転車である。固定遊具としてぶらんこ、すべり台、ジャングルジム、雲梯、固定円木、遊動円木である。各種スポーツ用具としてサッカー用具、野球用具、スキー用具、スケート用具、陸上競技用具、体操用具、バレー用具、ソフトボール用具、テニス用具、ゴルフ用具であり、これを使う人の体調度数値又はストレス度数値から、前記テラヘルツ電磁波の照射効果を把握することを特徴とするテラヘルツ電磁波照射効果の実証装置。
【請求項１１】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、医療機器又は用具としては、放射線治療装置、ＣＴ、ＭＲＩ、レントゲン装置、液晶画面保護フィルム、マッサージ器、血圧計、体温計、心臓ペースメーカー、ＣＤ、ＤＶＤ，ＵＳＢ、保育器、注射針、鍼灸針、医療用ステント、整形外科用インプラント、歯科用インプラント、マウスピース、入れ歯、手術用具としてメス、ピンセット、ハサミ、持針器、縫合糸、サクションチューブ、体内固定用ネジおよび固定用プレートなどの外科器具の何れかであり、これを利用する人の体調度数値又はストレス度数値から、前記テラヘルツ電磁波の照射効果を把握することを特徴とするテラヘルツ電磁波照射効果の実証装置。
【請求項１２】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、弦楽器のヴァイオリン、胡弓、胡琴、マンドリン、ギター、ハープ、ウクレレ、三味線、鍵盤楽器のピアノ、チェンバロ、オルガン、パイプオルガン、管楽器のクラリネット、横笛楽器のピッコロ、フルート、尺八、オカリナ、金管楽器のトランペット、トロンボーン、ホルン、多管楽器のパイプオルガン、ハーモニカ、打楽器の木製のカスタネット、木魚、拍子木、金属製の音叉、シンバル、チャイム、ベル、鈴、カウベル、鐘、マラカス、鍵盤打楽器の木琴、マリンバ、鉄琴、膜鳴楽器のドラム、太鼓、コンゴ、ボンゴ、電子楽器のテルミン、シンセサイザー、エレクトーン、キーボード、エレクトリックギター、エレクトリックピアノ、エレクトリックヴァイオリン、音響装置のスピーカー、携帯電話のスピーカーの何れかであり、これを利用する人の体調度数値又はストレス度数値から、前記テラヘルツ電磁波の照射効果を把握することを特徴とするテラヘルツ電磁波照射効果の実証装置。
【請求項１３】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、気功、鍼灸施術、アユルベーダー施術、指圧、柔道整復師による骨、関節、筋、腱、靭帯整復療法、音楽療法、温泉療法、温熱療法、アロマテラピー、按摩、波動整体療法、ハーブ療法、ホメオパシー、薬膳療法、ヨーガ、スピリチュアルヒーリング、又はゲルマニウム療法の施術者の何れかであり、施術者又は被施術者のこれを利用する人の体調度数値又はストレス度数値から、前記テラヘルツ電磁波の照射効果を把握することを特徴とするテラヘルツ電磁波照射効果の実証装置。
【請求項１４】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、石油、ガソリン、灯油、軽油、重油、天然ガス、液化天然ガス、液化石油ガス、ＬＰガス、オフガス、水素、空気、ジメルエーテル、ケロシン、石炭の何れかであり、これを利用する際の作業者又はこれを利用する人の体調度数値又はストレス度数値から、前記テラヘルツ電磁波の照射効果を把握することを特徴とするテラヘルツ電磁波照射効果の実証装置。
【請求項１５】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、生コンクリート工場生産ライン、生コン運搬車、製鉄工場生産ライン、製薬工場生産ライン、化粧品工場生産ライン、廃棄物処理工場、浄水場、工場排水、又は家庭排水口の何れかであり、これを利用する際の作業者又はこれを利用する人の体調度数値又はストレス度数値から、前記テラヘルツ電磁波の照射効果を把握することを特徴とするテラヘルツ電磁波照射効果の実証装置。
【請求項１６】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、宇宙船内、潜水艦内、航空機操縦室内、新幹線操縦室内、スポーツトレーニング室内、又はリハビリ室内、刑務所内、又は精神病棟内の設備又は壁の何れかであり、これを利用する際の作業者又はこれを利用する人の体調度数値又はストレス度数値から、前記テラヘルツ電磁波の照射効果を把握することを特徴とするテラヘルツ電磁波照射効果の実証装置。
【請求項１７】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、アイマスク、メガネ、帽子、靴下、インソール、手袋、ストッキング、衣類の肌着の何れかであり、これを利用する人の体調度数値又はストレス度数値から、前記テラヘルツ電磁波の照射効果を把握することを特徴とするテラヘルツ電磁波照射効果の実証装置。
【請求項１８】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、テーマパーク、映画館、又は各種イベント会場の入館若しくは乗車等に際し、その人に第１の唾液ＯＲＰ検査を実施して、それが体調度基準値以下であるか、又はテラヘルツ照射後の第２の唾液ＯＲＰ検査を実施して、第２の唾液ＯＲＰ検査結果が前記体調度基準値以内に好転した場合に係員、又はお客の入館、又は乗車を許可し、又は空港、港、又は鉄道、バス、又はタクシーの乗車、又は搭乗等に際し、その人に第１の唾液ＯＲＰ検査を実施して、それが体調度基準値以下であるか、又はテラヘルツ照射後の第２の唾液ＯＲＰ検査を実施して、第２の唾液ＯＲＰ検査結果が前記体調度基準値以内に好転した場合に係員、又はお客の乗車、又は乗務員の搭乗を許可にすることを特徴とするテラヘルツ電磁波照射効果の実証装置。
【請求項１９】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、
テラヘルツ照射対象は、日用生活用品である食品の液体充填容器、食器（陶磁器およびガラス器）、籠（竹、ヤシ、トウ、ワラ、プラスチック、金属含む）、温水洗浄便座、便座シート、シャワーヘッド、腕時計、柱時計、置き時計、空調用エアフィルターの何れかであり、これを利用する人の体調度数値又はストレス度数値から、前記テラヘルツ電磁波の照射効果を把握することを特徴とするテラヘルツ電磁波照射効果の実証装置。
【請求項２０】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、
テラヘルツ照射対象は、錆止め塗料、防湿・防食塗料、又は耐油の性質を利用して保護するための塗料であり、前記塗料を有機溶剤、若しくは水で希釈した希釈塗料又は溶媒を用いない紛体塗料として、建築物、構造物、自動車、鉄道車両、船舶、オートバイ、自転車、電気機械、金属製品、コンクリート、ガーデニング用品、家具、皮革又は模型に塗布する際の作業者又はこれを利用する人の体調度数値又はストレス度数値から、前記テラヘルツ電磁波の照射効果を把握することを特徴とするテラヘルツ電磁波照射効果の実証装置。
【発明の詳細な説明】
【技術分野】
【０００１】
本発明はテラヘルツの電磁波を照射した食材又は部材の照射の医療や健康への効果を実証する実証装置に関するものである。このテラヘルツの電磁波を照射して、その性質を改善する対象としては、食糧および食料品、衣料品の他に日用生活用品として消耗用品および耐久用品の生活用具、電化製品、楽器、遊具に広く活用できる。食糧および食料品の野菜や果実、魚介類を含む生産物、飲料水、魚介類、家畜、食糧の種子、家畜の食糧、犬猫の食糧、衣類（肌着や履物も含む）、電気機器、乗り物シートで、建材、塗料、化粧品、医療用具、樹木の苗、肥料、食糧栽培や観葉植物の土壌であり、日常生活に関わる広く活用でき、食糧および食料品の生産物、飲料水、衣類、ＬＥＤ搭載のパソコン、スマホ、ゲームソフト等の液晶画面から発せられる電磁波障害（ＥＭＩ）、青色公害（ブルーポリューション、ＢＰ）、前記本発明のテラヘルツ照射波効果の実証装置と方法のテラヘルツ照射波対象の前記ＬＥＤ搭載のパソコン、スマホ、ゲーム機器、液晶テレビ、蛍光灯、蛍光ランプ、蛍光管、照明灯（白熱電球含む）、および通常の蛍光灯等がある。
【背景技術】
【０００２】
テラヘルツ照射による医療や健康に対する効果を証明する手段が発見されていない現状では、体感的、又は主観的な推測に委ねられているのである。テラヘルツの照射による人体への効果の可視化が出来ない現状で、高額なテラヘルツ商品を買わされたとする被害がネット上で公開されている。
【０００３】
特許文献１は、ブルーライトを遮蔽し、且つ、透過光の黄色味が抑制されたブルーライトカットフィルムを遮蔽しながら表示される画像に黄変がなく高画質な表示装置、及び、上記ブルーライトカットフィルム用樹脂組成物を提供することを目的とすることを提供しているものであり、ブルーライト、フリッカーなどで発せられる健康面での影響などの記載やテラヘルツ照射した食糧が健康面での人体に与える影響を科学的、客観的な有意性を記述した臨床データの記載はなく、本発明とは技術的意図を異にする。
【０００４】
特許文献２は、前記黄色色素１００質量部に対する、前記紫色色素の含有量は、２０〜６０質量部である。好ましくは２５〜４５質量部であり、より好ましくは２５〜３５質量部である。かかる割合で、黄色色素及び紫色色素を含む本発明のブルーライトカット用組成物は、自然な色調を損なわずに、ブルーライトをカットすることができることを提供しているものであり、ブルーライト、フリッカーなどで発せられる健康面での影響などの記載やテラヘルツ照射した食糧が健康面での人体に与える影響を科学的、客観的な有意性を記述した臨床データの記載はなく、本発明とは技術的意図を異にする。
【０００５】
特許文献３の、実用新案登録は、電磁波障害を軽減でき、携帯電話のバッテリー機能を改善できる機能性携帯電話用液晶保護フィルムを提供する。３２〜３８テラヘルツの共鳴電磁波を、２時間〜２４時間、２０℃〜９０℃の温度条件下で、携帯電話用液晶保護フィルムに照射することで、携帯電話用液晶保護自体を当該共鳴電磁波の転写放射体とすることを提供しているものであり、ブルーライト、フリッカーなどで発せられる健康面での影響などの記載やテラヘルツ照射した液晶保護フィルム、携帯電話液晶保護フィルム、食糧が従来の工業用の水質検査用の酸化還元電位装置で良好を推測していることにすぎず、健康面での人体に与える影響を科学的、客観的な有意性を記述したヒト唾液ＯＲＰ臨床データの記載はなく、本発明とは技術的意図を異にする。
【０００６】
特許文献４は、テラヘルツパルス波を用いた粉末中の異物検出装置は、テラヘルツパルス波の大部分を透過させる第１部位と、テラヘルツパルス波を透過させずに反射する第２部位とを有する容器内に収納された粉末中の異物を検出する異物検出装置とすることを提供しているものであり、ブルーライト、フリッカーで発せられる健康面での影響などの記載やテラヘルツ照射した食糧による健康面での人体に与える影響を科学的、客観的な有意性を記述した臨床データの記載はなく、本発明とは技術的意図を異にする。
【０００７】
従来技術では、生命や細胞にテラヘルツ波を照射すると細胞を構成する体内酵素やＤＮＡその他の有機分子の振動数が活発になり、自然治癒力や免疫力が大きく向上し、テラヘルツ波を多量に放射する繊維を着用すると、皮膚の傷や筋肉の損傷が著しく改善され、人体内部の臓器の損傷が短時間に治癒され、身体の機能が短期間に回復することが近代量子物理学の理論として言われているが、テラヘルツ照射効果を証明する手段が発見されていない現状では、体感的、又は主観的な推測に委ねられているのである。
【先行技術文献】
【特許文献】
【０００８】
【特許文献１】特許第6387651号
【特許文献２】特許第6204726号
【特許文献３】実用新案第3214639号
【特許文献４】特許第6428728号
【発明の概要】
【発明が解決しようとする課題】
【０００９】
しかしながら、テラヘルツ照射効果については、従来客観的に証明されていない。これは、テラヘルツ電磁波の医療や健康に対する影響の科学的根拠が発見されていないからである。この現状で、テテラヘルツ照射効果を偽り詐欺紛いの商法が出回っている実状がある。これまでのテラヘルツ照射波を浴びた対象材の人間の健康面への影響についての効果確認は体感的、主観的な推測に委ねられていたのである。この点に注視し、本発明は、前記人間の健康面への影響についてヒト唾液ＯＲＰ酸化還元電位という指標で、科学的に数値データでの効果確認の手段に着眼したのである。
【課題を解決するための手段】
【００１０】
テラヘルツの電磁波を照射する電磁波照射筐体と、この照射筐体の内面に設けられたテラヘルツ共鳴電磁波放射シート（蒸着アルミシート）と、床面テラヘルツ共鳴電磁波放射シート（蒸着アルミシート）を装備することにより、前記蒸着アルミシートの下の床面に、ヒータを具備し、前記ヒータはテラヘルツ電磁波照射の制御、温度調節ＯＮ、又はＯＦＦ制御、共鳴共振電磁波放射時間設定制御、例えば、３２〜３８テラヘルツの照射範囲制御、共鳴共振電磁波のＯＮ、又はＯＦＦの制御により、例えば、２０℃〜９０℃範囲の温度で調節することで、前記テラヘルツの照射範囲制御によって、テラヘルツ電磁波照射帯を効率よく蒸着アルミシート全体に加熱伝導するように前記ヒータを備えている。前記蒸着アルミシートへテラヘルツの電磁波を照射させることを有するテラヘルツ照射波共鳴電磁波装置と、唾液の酸化還元電位測定筐体と、この測定筐体内に配置され被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部を有するヒト唾液ＯＲＰ酸化還元電位測定装置により、体調度数値又はストレス度数値から、前記テラヘルツ電磁波の照射効果を把握するようにしたのである。
【００１１】
舌の上に集約される唾液の総体唾液、３大唾液腺である耳下腺唾液、顎下腺唾液、舌下腺唾液の４種類から採取した唾液であり、これら４種類のいずれかの唾液含浸の綿棒を１０８の箇所に差し込み測定をするのであり、そこで、前記３大唾液腺の一つである顎下腺から産出される唾液成分に注目したのである。それは、アルブミン、コルチゾール、リゾチーム、ＩｇＡ、ラクトフェリン、ガスチンが産出されるのであり、これらの顎下腺から出る唾液成分の酸化は自律神経におけるストレス負荷が強い状態であり、ネバネバとした唾液状態は胃や内臓機能への負荷となり、日常生活で極度のストレス負荷が続くことで、体内に活性酸素が大量に発生するのである。眼精疲労、疲れやすい、眠れない、肩こり首筋が痛い、イライラ症状の訴えが多くなる特性は前記顎下腺から産出される唾液成分は強い酸化反応を明確に示すことに着眼し、前記ヒト唾液ＯＲＰ酸化還元電位測定装置で舌の上に集約される唾液の総体唾液採取の体調度、ストレス度測定で検証したのである。
【発明の効果】
【００１２】
１秒間に３５兆回振動する３５テラヘルツの電磁波が、水素結合を共振したり、電子の散乱運動を円滑化するということは、数値化検証が難しい仮設領域でした。ヒト唾液ＯＲＰ酸化還元電位測定装置により、ビフォーアフターの総合的な体調状態又はストレス状態を数値化検証できることで、前記３５テラヘルツと前記ヒト唾液ＯＲＰ酸化還元電位測定装置の組合せで、従来には可視化できなかったテラヘルツ照射の電磁波を受けた照射対象を食するか、使用するかして影響を受けた被験者の体調度数値又はストレス度数値からテラヘルツ電磁波の照射効果を実証することができたのである。
【図面の簡単な説明】
【００１３】
【図１】テラヘルツ照射波共鳴電磁波装置とヒト唾液ＯＲＰ測定装置を実施形態の構成図。
【図２】本発明のテラヘルツ照射波で共鳴電磁波が転写される形態についての一例図。
【図３】テラヘルツ照射波共鳴電磁波装置室についての一例図
【図４】本発明のテラヘルツ照射波装置の中に本発明のテラヘルツ照射波させる対象物を収納した一例図。
【図５】ヒト唾液ＯＲＰ酸化還元電位測定装置。
【図６】本発明のテラヘルツ照射波装置の応用として工場での食糧生産ライン室、電気機器製品組立ライン室、乗り物製品組み立てライン室、日用品製造組立ライン室に活用一例図。
【図７】本発明のテラヘルツ照射波装置で転写されたテラ共鳴電磁波放射シート（蒸着アルミシート）にテラヘルツ照射波材を包み込み１２時間〜２４時間以上かけて共鳴電磁波が転写されるようにした一例図。
【図８】本発明のテラヘルツ照射波共鳴電磁波装置の制御および活用のブロック図。
【発明を実施するための形態】
【００１４】
本発明の実施形態について図面を参照して説明する。図１は、テラヘルツ照射波共鳴電磁波装置と、前記ヒト唾液ＯＲＰ酸化還元電位測定装置を組合せて可視化する機能を備えた実施形態の構成図であり、本発明の前記テラヘルツ照射波効果の実証装置で共鳴電磁波放射シート（アルミ反射シート）を用いて、テラヘルツ照射波対象物自体に３５テラヘルツを中心として３２〜３８テラヘルツの範囲での共鳴電磁波が転写される。ｃは、前記テラヘルツ照射波共鳴電磁波装置と前記ヒト唾液ＯＲＰ酸化還元電位測定装置の筐体外部に設けられた液晶画面表示装置で、テラヘルツ照射波の動作及びヒト唾液ＯＲＰ酸化還元電位測定結果も監視できるようにしている。この液晶画面表示装置ｃは、前記テラヘルツ照射波共鳴電磁波装置の放射シート（蒸着アルミシート）が設けられた筐体の外部に具備された前記ヒト唾液ＯＲＰ酸化還元電位測定装置の測定動作とともに前記テラヘルツ照射波制御部動作の開始及び終了を指示する液晶画面がそれぞれ具備され、動作とともに前記テラヘルツ照射波制御部動作の開始及び終了を指示する液晶画面が、前記テラヘルツ照射波共鳴電磁波装置の筐体外部にそれぞれ設置されている。
【００１５】
図２は本発明のテラヘルツ照射波共鳴電磁波が転写される形態についての一例図であり、図３は本発明のテラヘルツ照射波共鳴電磁波装置によりテラヘルツ照射波が転写されるテラヘルツ照射波共鳴電磁波装置室についての一例図としての、テラヘルツ照射波共鳴電磁波装置の筐体であり、図４は前記テラヘルツ照射波共鳴電磁波装置の中にテラヘルツ照射波させる対象材を収納した一例図であり、収納しテラ照射するものとしては、食糧および食料品の野菜や果実、魚介類を含む生産物の他に日用品であり、ＬＥＤ搭載のパソコン、スマホ、ゲームソフト等の液晶画面から発せられる電磁波障害（ＥＭＩ）、青色公害（ブルーポリューション、ＢＰ）、ＬＥＤ搭載の照明灯、および通常の蛍光灯、電気機器に用いる液晶、電気スタンド、コピー機器、ドライヤー、電子レンジ、ＩＨ機器、空気清浄機、加湿器、食器洗浄機、電磁調理器、炊飯器、扇風機、洗濯機、掃除機、冷蔵庫、電動歯ブラシ、オーディオ機器とする電気製品である。
【００１６】
図２において説明する。本発明のテラヘルツ照射波共鳴電磁波が転写される形態についての一例図であり、１はテラヘルツ照射波共鳴電磁波装置および概念図である。２はテラ共鳴電磁波放射シート（蒸着アルミシート）であり、３は床面テラ共鳴電磁波放射シートで、４はヒーターであり、テラヘルツ電磁波照射帯を効率よく蒸着アルミシートを用いることで全体に加熱伝導するように前記ヒータを備えているのである。５はテラ共鳴電磁波放射シート２により隅々まで共振転写されるのである。
【００１７】
図３において説明する。１はテラヘルツ照射波共鳴電磁波装置であり、２はテラ共鳴電磁波放射シート（蒸着アルミシート）を前記テラ照射装置を覆いかぶせるようにして、テラ照射後は、照射された対象物を簡単に取り出させるように前記テラ共鳴電磁波放射シート（蒸着アルミシート）開閉が図で示す通り自由にできるようにしている。３は床面テラ共鳴電磁波放射シートであり、４はヒーターを装備し、２０℃至る９０℃以内で、１のテラ照射装置内で２０℃以下、又は９０℃以上になることのないように温度調節の制御機能が設けられ、９０℃を超えたときは発火を防ぐために電源ＯＦＦ機能を設けている。３の床面テラ共鳴電磁波放射シートからは共鳴電磁波が３５テラヘルツを中心として３２〜３８テラヘルツの範囲での共鳴電磁波で発せられ装置内の全体に共振されるようにすることで、２のテラ共鳴電磁波放射シート（蒸着アルミシート）によって、５の転写共鳴電磁波がテラ照射装置内の隅々まで共振転写されることで、テラ照射対象物自体に３５テラヘルツを中心として３２〜３８テラヘルツの範囲での共鳴電磁波が転写される。前記３５テラヘルツの電磁波は、水やその他の物質の水素結合を共振エネルギーで分断する。そして、水素結合の分断から３５テラヘルツで共振振動する水素イオン（Ｈ+）と電子（e−）を放出するのである。３５テラヘルツで共振振動している水素イオン（Ｈ+）や電子（e−）は、水素結合の分断により結合分子量（クラスター）の小さくなった水やその他の液体物質に安定して溶存されるのである。ちなみに、３５テラヘルツで共振振動させた後は、共振させない元の水素結合には戻らないのである。人間の体の水分は約６０〜７０％前後が水分で構成されていることは医学界でも周知されている通り、人間の体の約６０〜７０％の水分に、一度転写されることで本発明の前記テラヘルツ照射波を用いた対象物は、前記テラヘルツ照射波共鳴電磁波装置の筐体外部に具備された前記唾液ＯＲＰ酸化還元電位測定装置によってヒト唾液ＯＲＰ経時変化の測定を実施した結果が得られたのである。従来の人間の健康面への影響や有用性や植物育成効果や食糧への効果は、人間の場合には体感的、主観的な推測に委ねられていたのであり、植物育成効果や食糧への効果についても、目視での生育状態、味覚、嗅覚などの五感に委ねられていたのである。これらの問題を前記唾液ＯＲＰ酸化還元電位測定装置によって人間の健康面への影響を科学的に客観的な有意性が明確に可視化できたのである。
【００１８】
さらに、人間の体の水分に健康面で良好な影響を与えるとする根拠と本発明のテラヘルツ照射波効果の実証装置と方法の有用性について述べる。宇宙から放射されている生命エネルギー（育成光線）は水ととても相性がよく、水はこのエネルギーを蓄積し他に放射する性質を持っている。生命の源は太陽の光と水（天の気、地の気）ともいわれる所以であり、私たちの体の水分は約６０〜７０％、脳の水分は約85％、血液の水分は約９０％と言われている。この水分に宇宙からの生命エネルギー（育成光線）が降り注ぎ、エネルギーを蓄え他に放射して健康を保っているのである。ところが歳を重ねるごとにこのエネルギーを蓄える力が劣ると当然放射するエネルギーも少なくなってくるのである。地球上で一番育成光線を放射しているのは人間であり、人間の中でも赤ちゃんが一番多く前記育成光線を放射しているのである。歳を重ねるごとに、この放射は少なくなり、若くても病気の人は放射量は少なく蓄えているエネルギーが少なくなっているからなのである。この生命エネルギー（育成光線）と同じエネルギーである、前記本発明のテラヘルツ照射波を１２〜２４時間、３６５日にわたり体内に与え続けることは、体内の水分の水素結合を分離しＨ＋イオンが増えると還元作用が働いて活性酸素を無害にし、また、水分の分子結合も小さくなるので血流がよくなり、毛細血管まで栄養が行きわたり老廃物を排出するので健康な体を維持することが期待できることを後述の表１〜表１３に示された通り、本発明の前記テラヘルツ照射波効果の実証装置と方法で得られる各種商材が、人間の健康面により良い影響をもたらすことがヒト唾液ＯＲＰの可視化で考察できたのである。
【００１９】
図４において説明する。１はテラヘルツ照射波共鳴電磁波装置であり、２はテラ共鳴電磁波放射シート（蒸着アルミシート）で前記テラヘルツ照射波装置内に設定する。３は床面テラ共鳴電磁波放射シートであり、４はヒーターを装備し、２０℃至る９０℃以内で、１のテラヘルツ照射波装置内で２０℃以下、又は９０℃以上になることのないように温度調節の自動制御機能が設けられ、９０℃を超えたときは発火を防ぐために電源ＯＮ、又はＯＦＦ機能を設けている。４のヒーター接している温度調整により３の床面テラ共鳴電磁波放射シートからは共鳴電磁波が３５テラヘルツを中心として３２〜３８テラヘルツの範囲での共鳴電磁波で発せられ装置内の全体に共振されるようにすることで、２のテラ共鳴電磁波放射シート（蒸着アルミシート）によって、図３で示した５の転写共鳴電磁波がテラ照射装置内の隅々まで共振転写されることで、テラヘルツ照射波対象物自体に３５テラヘルツを中心として３２〜３８テラヘルツの範囲での共鳴電磁波が転写される。６はテラ照射対象物の一例としてのパソコン液晶であり、７は蛍光灯管で、８はスマホ、ゲームソフト、電気機器に使用する部材の液晶そのものであり、９はＬＥＤ搭載の各種電球である（ＬＥＤ搭載されていない電球も含む）、１０は丸めたテラ共鳴電磁波放射シート（蒸着アルミシート）にテラ照射することにより、転写されたテラ共鳴電磁波放射シート（蒸着アルミシート）を、各種の商材となるものを包み込んで図７の一例図のように活用することで、前記本発明のテラヘルツ照射波効果の実証装置として広く応用活用できるようにしたのである。
【００２０】
図５について説明する。特許第６４５４８３６号を参照されたい。ヒト唾液ＯＲＰ測定装置は、複数個の開閉扉が設けられ、前記開閉扉が閉の状態で外気から遮断される筐体と、前記筐体内部に複数個設けられた測定部と、前記筐体の外部に設置され、前記測定部毎にその動作の開始及び終了を指示するスイッチと、前記筐体の外部に設置され、前記測定部毎にその測定結果を表示する表示部と、前記複数個の測定部により求められた酸化還元電位からそれぞれ被検者の体調度数値、ストレス度数値、又は薬物スクリーニング数値を含む検査結果を前記表示部に表示させる制御部とを有し、前記各測定部は、前記開閉扉が開の状態で唾液含浸の綿棒を装着する試料槽と、前記綿棒に含浸された唾液から酸化還元電位を検出する検出部と、前記試料槽及び前記検出部から構成された測定ＢＯＸを格納する格納箱とを有し、前記格納箱は、測定中における唾液の検体液が空気の流動による酸化や電磁波ノイズ、又は前記筐体内部の配線から発せられる微弱な電磁波ノイズを受けにくくするように前記測定ＢＯＸを格納する装置である。前記ヒト唾液ＯＲＰ測定装置について図５に基づき説明する。１０１はヒト唾液ＯＲＰ酸化還元電位測定装置であり、テラヘルツ照射波共鳴電磁波装置により、転写されたテラヘルツ照射波対象材が、人間の健康面の有意性が確認できるようにしたのである。１０２は測定時刻の表示部、１０３は測定結果をプリント排出部である。１０４は前記ヒト唾液ＯＲＰ酸化還元電位測定装置の持ち運びの持ち手部分、１０５は前記ヒト唾液ＯＲＰ酸化還元電位測定装置の動作過程表示の液晶部、１０６測定スタートボタン、１０７は電源部であり、１０８は測定部とする箇所に測定部の検体液が含浸された綿棒を差し込み１０６の測定スタートボタンを押すことで、測定結果が１０５の液晶部に表示される。１０９は測定部のＢＯＸを押し込む箇所を示し、１１０で測定部のＢＯＸを引き出すようにしている。１１１は測定ＢＯＸ開閉扉を設けている。検体液とは舌の上に集約される唾液の総体唾液、３大唾液腺である耳下腺唾液、顎下腺唾液、舌下腺唾液の４種類から採取した唾液であり、これら４種類のいずれかの唾液含浸の綿棒を１０８の箇所に差し込み測定をするのであり、前記３大唾液腺の一つである顎下腺から産出される唾液成分に注目したのである。それは、アルブミン、コルチゾール、リゾチーム、ＩｇＡ、ラクトフェリン、ガスチンが産出されるのであり、これらの顎下腺から出る唾液成分の酸化は自律神経におけるストレス負荷が強い状態であり、ネバネバとした唾液状態は胃や内臓機能への負荷となり、日常生活で極度のストレス負荷が続くことで、体内に活性酸素が大量に発生するのである。眼精疲労、疲れやすい、眠れない、肩こり首筋が痛い、イライラ症状の訴えが多くなる特性は前記顎下腺から産出される唾液成分は酸化反応を明確に示すことに着眼し、前記ヒト唾液ＯＲＰ酸化還元電位測定装置で舌の上に集約される唾液の総体唾液採取の体調度、ストレス度測定も検証したのである。
【００２１】
このヒト唾液から、その被験体の体調度及びストレス度の測定が可能になるが、その実施例について、詳細は、特許第４１５４８８４号を参照されたい。ヒト唾液ＯＲＰ測定装置は、健常者４９８名、疾病者５２３名、合計１０２１名に及ぶ被験者の唾液測定によって本体表面に体調度としての健康目安リストによって被験者の健康との相関を示し、正確な酸化還元電位値（ｍＶ）の測定ができることによって、体内が還元されている体調状態であるか、酸化されている体調状態であるかを数値限定で示唆できるようにしたのである。
【００２２】
つづいて、ヒト唾液ＯＲＰ測定装置は、1台の装置で、舌の上に集まる総合唾液および還元有意に導くアミラーゼ、パロチン、ラクトペルオキシターゼ、ヒスタチンなどを主流とする酸化影響を受けやすい耳下腺左右から分泌される唾液成分３か所のヒト唾液成分の酸化還元電位値（ｍＶ）比較測定を可能にしたものである。
【００２３】
図６について説明する。１１は電気機器の組み立て生産ライン工場に、前記本発明のテラヘルツ照射波効果の実証装置として活用とする一例図である。生産ラインの活用では、食料品加工の生産ライン。各種乗り物の生産ライン（乗り物の一例として自動車、バス、電車、飛行機、自転車、オートバイ）。日用生活用具の生産ライン。日用生活のメンタル面の癒やし用具としての遊具生産ライン、楽器生産ライン、家電生産ライン、医療機器の生産ライン。そして食料備蓄庫、植物生育の工場、学校教室、オフィス、各種乗り物待合室、医療施術室、又は待合室などに活用できるものであり、２はテラ共鳴電磁波放射シート（蒸着アルミシート）で生産ラインの工場や室内に設置する。３は床面テラ共鳴電磁波放射シートであり、４はヒーターを装備し、２０℃至る９０℃以内で、１のテラ照射装置内で２０℃以下、又は９０℃以上になることのないように温度調節の自動制御機能が設けられ、９０℃を超えたときは発火を防ぐために電源ＯＮ、又はＯＦＦ機能を設けている。３の床面テラ共鳴電磁波放射シートからは共鳴電磁波が３５テラヘルツを中心として３２〜３８テラヘルツの範囲での共鳴電磁波で発せられ装置内の全体に共振されるようにすることで、生産ライン工場内の壁面、天井に貼られた２のテラ共鳴電磁波放射シート（蒸着アルミシート）によって、５の転写共鳴電磁波がテラ照射装置内の隅々まで共振転写されるのである。これら生産工場ラインは、動物の生育の厩舎、植物の生育生産ライン工場、植物の生育ハウス、食糧保管庫に活用できることで、テラ照射後は、照射された対象物を簡単に取り出させるように前記テラ共鳴電磁波放射シート（蒸着アルミシート）開閉が自由にできるようにするとともに、生産工場ライン、又は食糧保管の備蓄庫の開閉扉内側には２のテラ共鳴電磁波放射シート（蒸着アルミシート）を張り巡らせるのである。１２は生産ライン工場の地面であり、無人の生産ライン工場の場合は生産ラインおよび生産ラインに携わる作業員の足元および通行ラインにも２のテラ共鳴電磁波放射シートをセットする。有人の生産ライン工場は２のテラ共鳴電磁波放射シートが剥離しないように、生産ラインおよび生産ラインに携わる作業員の足元および通行ラインにはセットしないようにする。図３の丸めたテラ共鳴電磁波放射シート（蒸着アルミシート）にテラヘルツ照射波することにより１０は転写されたテラ共鳴電磁波放射シート（蒸着アルミシート）にするために活用したことで人間の健康面への有意性が表１〜表３、表５〜表７で考察できたのである。
【００２４】
図７について説明する。本発明のテラヘルツ照射波効果の実証装置で転写された２のテラ共鳴電磁波放射シート（蒸着アルミシート）で、日用品小物の商材の一例として１４はヘヤードライヤー、携帯電話、眼鏡を１５のように包み込む、そして、１６のように前記ヘヤードライヤー、携帯電話、眼鏡を２時間〜２４時間にわたり包み込んでおくことにより、共鳴電磁波放射シートからは共鳴電磁波が３５テラヘルツを中心として３２〜３８テラヘルツの範囲での共鳴電磁波が発せられ転写されたことで、人間の体に健康面での有意性の可視化に活用した一例図である。有意性は表１〜表３および表５〜表７に示された通りである。従来においては前記本発明のテラヘルツ照射波を浴びさせたものと浴びさせないものとの客観的データはなく、従来の水質検査用の工業用のＯＲＰ測定で、健康に良さそうだという不確定な推測に過ぎなかったのである、そこで、前記本発明のテラヘルツ照射波効果の実証装置及び使用方法を用いた後の有意性の実証を前記ヒト唾液ＯＲＰ医療機器装置「ＯＲＰreaderオルプリーダー」測定装置で明確に示されたのである。
【００２５】
図８について説明する。１７本発明のテラヘルツ照射波共鳴電磁波装置の制御および活用のブロック図である。１８はテラ照射装置電源、１９は本発明のテラヘルツ照射波共鳴電磁波装置の制御部であり、２０は温度調節のＯＮ、又はＯＦＦの自動制御、２１は共鳴電磁波放射時間設定制御、２２はテラヘルツ照射波対象物に３５テラヘルツを中心として３２〜３８テラヘルツおよび7.9μｍ〜9.4μｍの範囲で共鳴電磁波を安定して照射させる制御部機能を装備、２３は共鳴共振電磁波のＯＮ、又はＯＦＦの制御により、前記テラ照射動作の開始及び終了を指示する液晶画面表示が設けられ、前記本発明のテラヘルツ照射波共鳴電磁波装置の人間の健康への有意性を可視化するために、前記本発明のテラヘルツ照射波共鳴電磁波装置の筐体外部に具備された前記ヒト唾液ＯＲＰ医療機器装置「ＯＲＰreaderオルプリーダー」測定装置（図せず）を設置している。図７でテラヘルツ照射波共鳴電磁波装置と前記ヒト唾液ＯＲＰ医療機器装置の概念図で示している。２４は本発明のテラヘルツ照射波共鳴電磁波装置制御部には、温度調節のＯＮ、又はＯＦＦの自動制御テラヘルツ照射波装置ヒーターを装備し、２０℃至る９０℃以内で、テラヘルツ照射波装置内で２０℃以下、又は９０℃以上になることのないように温度調節の自動制御機能が設けられ、９０℃を超えたときは発火を防ぐために電源ＯＮ、ＯＦＦ機能を設けている。２５は床面テラ共鳴電磁波放射シートであり、床面テラ共鳴電磁波放射シートからは共鳴電磁波が３５テラヘルツを中心として３２〜３８テラヘルツの範囲で共鳴電磁波で装置内の全体に共鳴共振されるようにしている。２６は天井、床、壁面に張り巡らすテラ共鳴電磁波放射シートであり、床面テラ共鳴電磁波放射シートから放射された共鳴電磁波が放射シートに反射してテラ照射装置内の隅々まで共振転写されることで、テラヘルツ照射波対象物自体に３５テラヘルツを中心として３２〜３８テラヘルツの範囲での共鳴電磁波が転写されるのである。２７は３２〜３８テラヘルツの転写共鳴電磁波で照射される共振作用により、固有振動数の一致する空気中の水蒸気の水分子クラスター水素結合が分断され、水素イオンと電子を空気中に放出し、単分子化されることであり、このようにして前記本発明のテラヘルツ照射波された各種日用品、ＬＥＤ搭載の有無に関係なく家電製品は、テラヘルツ照射波対象物自体に３５テラヘルツを中心として３２〜３８テラヘルツの範囲での共鳴電磁波が転写され、前記３５テラヘルツの電磁波は、水やその他の物質の水素結合を共振エネルギーで分断する。そして、水素結合の分断から３５テラヘルツで共振振動する水素イオン（Ｈ+）と電子（e−）を放出するのである。３５テラヘルツで共振振動している水素イオン（Ｈ+）や電子（e−）は、水素結合の分断により結合分子量（クラスター）の小さくなった水やその他の液体物質に安定して溶存されるのである。３５テラヘルツで共振振動させた後は、共振させない元の水素結合には戻らないことは前述した通りである。２８は前記テラ照射共鳴電磁波装置の有意性をヒト唾液ＯＲＰ酸化還元電位測定装置と組合せた液晶画面で可視化する機能が具備され、前記本発明のテラヘルツ照射波効果の実証装置を用いた対象物���、前記厚生労働省認可の医療機器であるヒト唾液ＯＲＰ酸化還元電位測定装置によって、表１〜表３、表５〜表７に示した通りである。従来においては健康効果や植物育成効果、食糧生産物が人間への健康に及ぼす効果は体感的、主観的な推測に委ねられていましたが、これらを人間が体内に摂取したり、視覚、聴覚、触覚、味覚、嗅覚の五感を通して体感後の人間の健康にとっての有意性が科学的に明確に数値で可視化することができたのである。２９は本発明のテラヘルツ照射波装置内に照射対象物を格納して活用する。３０は転写されたテラ共鳴電磁波放射シート（蒸着アルミシート）に日用品を包み込み１２時間〜２４時間以上かけて共鳴電磁波が転写されるようにする。３１は生産ラインの各業種活用では、食料品加工の生産ライン、各種乗り物の生産ライン（乗り物の一例として自動車、バス、電車、飛行機、自転車、オートバイ）、動植物の動物生育厩舎、植物生育ハウス、そして緊急時の食料保管備蓄庫などにも広く活用が期待できるのである。
【００２６】
前述の説明から、３５テラヘルツ照射での木材の乾燥手段に応用する着眼として、従来の木材乾燥は、自然乾燥では年月がかかるとして人工的に低温４０度〜１２０度前後の高温乾燥が用いられているが、これらの乾燥は、木材外面の乾燥が最初に進み、木材内部の水分が閉じ込められ乾燥しにくくなる傾向があり、四季の温度、湿度変化で木材の変形、収縮、曲がり、反り、ひび割れ、ささくれの剥離が生じるのである。原木から製材したばかりの木材の含水率は、通常１５０％であり、乾燥材の基準含水率２０％前後とされているが、前記四季の温度、湿度変化で、人工的に乾燥させた木材の含水率は変化し、前記木材の変形、収縮、曲がり、反り、ひび割れ、ささくれの剥離が生じるのである。太陽光の間接的な光を受けての自然乾燥の基本原則を、もっとも効率的な３５テラヘルツ照射の乾燥に用いる理由は、３５テラヘルツで共振振動させた後は、共振させない元の水素結合には戻らないことは前述した通りであり、安定した状態を保つ水分の性質を持つことを意味するのである。すなわち３５テラヘルツ照射された木材の中の水分は、前記水素結合の分断により結合分子量（クラスター）の小さくなった水分として、乾燥を短期間で促進させることを確認するための実験を試みたのである。それは、３５テラヘルツ照射したミネラル水と３５テラヘルツ照射しない水を、それぞれ２リットルのペットボトルに充填し、キャップをしっかり閉めて６０日間の経過観察をした結果は、３５テラヘルツ照射したミネラル水の量は１リットル以上も蒸発し、一方、３５テラヘルツ照射しない水の蒸発は、ほとんどなく充填時の量のままであった。両方の容器ともキャップを閉めた条件下は同じにもかかわらず、わずかなキャップ閉めの微細な隙間から、前記水素結合の分断により結合分子量（クラスター）の小さくなった水分が蒸発したとしか考えられないのである。すなわち、材木の乾燥においては外表面が先に乾燥し、内部の細胞水がなかなか乾燥できないことで、短時間、又は短期間で乾燥としているのを３５テラヘルツ照射により、共振振動により水の液相（水）から気相（水蒸気）に変化させるために必要な相変化エネルギーが小さくなり常温でも活発に蒸発させるようになったことが考察されるのである。ピアノ、ウクレレ、ギター、太鼓など各種木材使用の楽器においては、前記内部の細胞水がなかなか乾燥できないことが共鳴音に影響するとされている。人工的な木材乾燥では木材内部の強い負荷により、前記木材の変形、収縮、曲がり、反り、ひび割れ、ささくれが起きることから木材乾燥が負荷とならない３５テラヘルツ照射は、前記ペットボトルに充填した水分が短期間での水分蒸発が確認されたことで、人工的な高温乾燥ではなく、常温下で、前記３５テラヘルツ照射により、木材が持つ香りや消臭、殺菌効用が温存された状態での水分の蒸発が促進されることが考察され、これらの木材を家具使用の木材、食用使用の木材、住宅使用の木材、楽器使用の木材、運動用具使用の木材、味噌、醤油、酒樽などの木材乾燥に活用できると考える。そして、乾燥する際の作業者又はこれを利用する人のヒト唾液ＯＲＰ酸化還元電位測定装置の活用である。
【００２７】
さらに、テラヘルツ照射波対象として、紅色合成細菌の一種である微生物肥料と３５テラヘルツ照射による合成により、フィリピンでのココナッツ苗栽培により収穫され絞り出されたココナッツオイルを食した前後および経時変化でのヒト唾液ＯＲＰの体調度、ストレス度、薬物スクリーニングでの酸化還元反応は表１〜表３で示す通りの結果が示されたのである。さらには、表５〜表７で示す通り、同じ栽培方法で前記紅色合成細菌の一種である微生物肥料と３５テラヘルツ照射による合成により、フィリピンでのココナッツ苗栽培により収穫され加工されたココナッツシュガーを食した前後および経時変化でのヒト唾液ＯＲＰの体調度の酸化還元反応は強い還元反応の結果が示され、表１〜表３および表５〜表７に示されたヒト唾液ＯＲＰが偶然に強い還元反応を示したのではなく、３５テラヘルツ照射の効果が明確に示されたことから、紅色合成細菌の一種である微生物肥料、嫌気性バクテリア又は好気性のバクテリアの活用に着眼したのである。
【００２８】
前記表１〜３、表５〜表７で示された強い還元反応に注視し、追跡した結果として、食した前後および経時変化でのヒト唾液ＯＲＰの体調度、ストレス度、薬物スクリーニングでの酸化還元反応を次のように考察する理由は、３５テラヘルツ照射はノンローカリティ事象として、ある1点で起こった事象が、遠く離れた点で同時に顕れることを意味する。一般的にスピリチュアルな意味でつかわれることが多いのですが、前記３５テラヘルツ照射波の場合、物理学（量子力学的）にノンローカリティがきわめて重要な役割を果たしているとの着眼に至ったのである。すなわち、水の惑星でもある地球は、表面積の7割以上が水であり、空気中にも水蒸気として水が存在する。その水は水素結合でクラスターを形成している。前記３５テラヘルツ照射の電磁波は、水の水素結合の固有振動数（３５テラヘルツ）と共振し、水素結合をきわめて小さな波動エネルギー（約０．１５電子ボルト）で分断するのであり、水素結合が分断されると、水素陽イオンや電子が放出され、水は還元傾向を示し活性化する。つまり、前記ノンローカリティ事象は、水素結合から放出された水素陽イオンや電子は、共振周波数の３５テラヘルツで振動を続け、自らが３５テラヘルツ波の発射体となり、そして、同じ現象を繰り返して、遠く離れた位置にも光の速さで、水の活性化現象を起こすと考察したのである。この３５テラヘルツ波の特性は、前記表１〜表３、表５〜表７、表８、表１０で示された強い還元結果は、偶然ではなく、テラヘルツ電磁波照射効果をヒト唾液ＯＲＰ酸化還元電位測定装置で可視化できるという結論に至ったのである。
【００２９】
本発明のテラヘルツ電磁波照射効果の実証装置のテラヘルツ照射波対象は、紅色合成細菌の一種である微生物肥料、嫌気性バクテリア、又は好気性バクテリアの何れかであり、テラ照射された肥料により育成された植物を食した人、又は前記肥料を利用する作業者の
ヒト唾液ＯＲＰ酸化還元電位測定装置の活用である。
【００３０】
前記テラヘルツ電磁波照射効果の実証装置のテラヘルツ照射波対象は、人間又は動物の頭部又は身体の全部又は一部への直接照射であり、もしくは照射されたアイマスク、メガネ、帽子、靴下、手袋、ストッキング、衣類の肌着に活用であり、これらの使用による人のヒト唾液ＯＲＰ酸化還元電位測定装置の活用である。
【００３１】
前記テラヘルツ電磁波照射効果の実証装置のテラヘルツ照射波対象は、テラヘルツ照射波対象は、石油、ガソリン、灯油、軽油、重油、天然ガス、液化天然ガス、液化石油ガス、ＬＰガス、オフガス、水素、空気、ジメルエーテル、ケロシン、石炭であり、気化や蒸発、又は沸騰による臭気などによって、これらを使用による人のヒト唾液ＯＲＰ酸化還元電位測定装置の活用である。
【００３２】
前記テラヘルツ電磁波照射効果の実証装置のテラヘルツ照射波対象は、テーマパーク、映画館、又は各種イベント会場の入館若しくは乗車等に際し、その人に第１の唾液ＯＲＰ検査を実施して、それが体調度基準値以下であるか、又はテラヘルツ照射後の第２の唾液ＯＲＰ検査を実施して、第２の唾液ＯＲＰ検査結果が前記体調度基準値以内に好転した場合に入館、又は乗車を許可、又は空港、港、又は鉄道、バス、又はタクシーの乗車、又は搭乗等に際し、その人に第１の唾液ＯＲＰ検査を実施して、それが体調度基準値以下であるか、又はテラヘルツ照射後の第２の唾液ＯＲＰ検査を実施して、第２の唾液ＯＲＰ検査結果が前記体調度基準値以内に好転した場合にお客の乗車、又は乗務員の搭乗を許可することに活用する。ちなみに、舌の上での唾液採取による体調度であるヒト唾液ＯＲＰ基準値はプラス４０ｍV以下であり、顎下腺唾液採取のストレス度のヒト唾液ＯＲＰ基準値は０ｍV以下であり、耳下腺唾液採取の薬物スクリーニングのヒト唾液ＯＲＰ基準値は０ｍV以下である。タクシー運転手の搭乗前の体調チェックは、スマホでの顔色チェックや問診応答で昨晩遅くまで暴飲暴食、今、頭痛や吐き気はないか、睡眠不足はないかなどとの確認、運転手同士の動向交換などがあるが、欠勤したくないことから、その場しのぎで、運転者は問題ないとの返答をすることから、運転中に表面化しない体調不良のクモ膜下、心筋梗塞、脳梗塞などの突然襲う体調の変調からの運転トラブルが起きていると言われている。このことはパイロット、新幹線、在来線、バス、タクシーなどの運転にも当てはまることで大勢の命が、一人、又は数人のスタッフに命をたくしているのが実状である。さらには、マイカーなど個人で自動車運転する際にも、大きな事故に遭遇しないために、自らの体調状態を乗車前にリアルタイムに確認し自己管理にも役立たせる。さらに、前記唾液ＯＲＰ検査の実施は、前記テーマパーク、映画館、又は各種イベント会場、および前記空港、港、又は鉄道、バス、又はタクシーで関わるスタッフにもヒト唾液ＯＲＰ酸化還元電位測定装置の活用である。
【００３３】
前記テラヘルツ電磁波照射効果の実証装置のテラヘルツ照射波対象は、生コンクリート工場生産ライン、生コン運搬車、製鉄工場生産ライン、製薬工場生産ライン、化粧品工場生産ライン、廃棄物処理工場、浄水場、工場排水、又は家庭排水口であり、これらを使用する人のヒト唾液ＯＲＰ酸化還元電位測定装置の活用である。
【００３４】
前記テラヘルツ電磁波照射効果の実証装置のテラヘルツ照射波対象は、表１〜表３、表５〜表７、表８、表１０に示された通り、本発明の前記テラヘルツ照射波効果の実証装置で得られる各種商材が、人間の健康面により良い影響をもたらすことがヒト唾液ＯＲＰの可視化で考察できたことから精神面での心の癒やし安定を必要とする隔離された狭い部屋内での宇宙船内、潜水艦内、航空操縦室内、新幹線操縦室内、スポーツトレーニング室内、又はリハビリ室内、刑務所内、精神病棟内の構造物であり、これらを使用する人のヒト唾液ＯＲＰ酸化還元電位測定装置の活用である。
【００３５】
前記テラヘルツ電磁波照射効果の実証装置のテラヘルツ照射波対象は、電流による人間の健康面での電磁波影響の可視化活用として、オートバイ、電気自動車、電車、各種生産工場、大規模施設、パソコン、携帯電話などに用いられる各種二次電池として、鉛電池、ニッケル電池、リチウムイオン電池、ＮＡＳ電池、バナジューム固形電池、キャパシタ電池、全固体電池であり、これらを使用する人のヒト唾液ＯＲＰ酸化還元電位測定装置の活用である。
【００３６】
前記テラヘルツ電磁波照射効果の実証装置のテラヘルツ照射波対象は、電流による人間の健康面での電磁波影響の可視化活用として、電気製品部材、自動車製品部材、オートバイ製品部材、飛行機製品部材、船舶製品部材、鉄道製品部材、ロケット製品部材、電柱に設置の変圧器、プリント基盤、電源配線、工場での配電盤および分電盤、又は制御盤、住まいでの配電盤および分電盤、又は制御盤、送電線、電気部品又は電子部品が含まれるのである。これらを使用する人、前記工場内又は住宅内にいる人のヒト唾液ＯＲＰ酸化還元電位測定装置の活用である。
【００３７】
前記テラヘルツ電磁波照射効果の実証装置のテラヘルツ照射波対象は、日用生活用品の活用として食品の液体充填容器、食器（陶磁器およびガラス器）、籠（竹、ヤシ、トウ、ワラ、プラスチック、金属含む）、温水洗浄便座、シャワーヘッド、腕時計、柱時計、置き時計、空調用エアフィルターであり、これらを使用する人のヒト唾液ＯＲＰ酸化還元電位測定装置の活用である。
【００３８】
前記テラヘルツ電磁波照射効果の実証装置のテラヘルツ照射波対象は、日用生活用品である食品の液体充填容器、生鮮食品又は加工食品保持フイルムであり、これらを使用する人のヒト唾液ＯＲＰ酸化還元電位測定装置の活用である。
【００３９】
前記テラヘルツ電磁波照射効果の実証装置のテラヘルツ照射波対象は、ノニ実（葉も含む）、又はモリンガの実（葉も含む）、アセロラ、グズベリー、ライチ、又はグァバの実、パラミツの実、ジャボチカバの実、これら収穫果実のなま物（絞り油を含む）、果実の加工生産物、ジュース若しくはその粉末、又は加工冷凍品の何れかであり、これらを使用する人のヒト唾液ＯＲＰ酸化還元電位測定装置の活用である。
【００４０】
前記テラヘルツ電磁波照射効果の実証装置のテラヘルツ照射波対象は、粉珈琲、焙煎コーヒー豆、焙煎前の珈琲生まめであり、これらを使用する人のヒト唾液ＯＲＰ酸化還元電位測定装置の活用である。
【００４１】
前記テラヘルツ電磁波照射効果の実証装置のテラヘルツ照射波対象は、日用生活用具の生産ライン、学校又は職場で日用生活のメンタル面の癒やし遊具の生産ライン、各種スポーツ競技用体操用具の生産ライン、各種楽器の生産ライン、各種医療機器の生産ラインであり、生産ラインでは働く人、又は製作されたこれらを使用する人のヒト唾液ＯＲＰ酸化還元電位測定装置の活用である。
【００４２】
前記テラヘルツ電磁波照射効果の実証装置のテラヘルツ照射波対象は、移動遊具としてお手玉、おはじき、折り紙、けん玉、凧、独楽、こま、かるた、トランプ、メンコ、ベーゴマ、竹馬、羽子板、ビー玉、鞠、毬、積木、縄跳び、三輪車、自転車である。固定遊具としてぶらんこ、すべり台、ジャングルジム、雲梯、固定円木、遊動円木である。各種スポーツ用具としてサッカー用具、野球用具、スキー用具、スケート用具、陸上競技用具、体操用具、バレー用具、ソフトボール用具、テニス用具、ゴルフ用具であり、これらを使用する人のヒト唾液ＯＲＰ酸化還元電位測定装置の活用である。
【００４３】
前記テラヘルツ電磁波照射効果の実証装置のテラヘルツ照射波対象は、医療機器又は用具としては、放射線治療装置、ＣＴ、ＭＲＩ、レントゲン装置、マッサージ器、血圧計、体温計、心臓ペースメーカー、ＣＤ、ＤＶＤ，ＵＳＢ、保育器、注射針、鍼灸針、医療用ステント、整形外科用インプラント、歯科用インプラント、マウスピース、入れ歯、手術用具としてメス、ピンセット、ハサミ、持針器、縫合糸、サクションチューブ、体内固定用ネジおよび固定用プレートなどの外科器具であり、気功、鍼灸施術、アユルベーダー施術、指圧、柔道整復師による骨、関節、筋、腱、靭帯整復療法、音楽療法、温泉療法、温熱療法、アロマテラピー、按摩、波動整体療法、ハーブ療法、ホメオパシー、薬膳療法、ヨーガ、スピリチュアルヒーリング、ゲルマニウム療法であり、これらを使用する人のヒト唾液ＯＲＰ酸化還元電位測定装置の活用である。
【００４４】
前記テラヘルツ電磁波照射効果の実証装置のテラヘルツ照射波対象は、楽器としては、弦楽器である擦弦楽器の一例としてヴァイオリン、胡弓、胡琴、マンドリン、ギター、ハープ、ウクレレ、三味線である。鍵盤楽器の一例としてピアノ、チェンバロ、オルガン、パイプオルガンである。管楽器の一例としてクラリネットである。横笛楽器の一例としてピッコロ、フルート、尺八、オカリナである。金管楽器の一例としてトランペット、トロンボーン、ホルンである。多管楽器の一例としてパイプオルガン、ハーモニカである。打楽器である体鳴楽器の一例として木製のカスタネット、木魚、拍子木である。金属製の音叉、シンバル、チャイム、ベル、鈴、カウベル、鐘、マラカスである。鍵盤打楽器の一例として木琴、マリンバ、鉄琴である。膜鳴楽器の一例としてドラム、太鼓、コンゴ、ボンゴである。電子楽器の一例としてテルミン、シンセサイザー、エレクトーン、キーボード、エレクトリックギター、エレクトリックピアノ、エレクトリックヴァイオリンである。音響装置の一例としてスピーカー、携帯電話のスピーカーであり、これらを使用する人のヒト唾液ＯＲＰ酸化還元電位測定装置の活用である。
【００４５】
前記テラヘルツ電磁波照射効果の実証装置のテラヘルツ照射波対象は、錆止め塗料、防湿・防食塗料、又は耐油の性質を利用して保護するための塗料であり、前記塗料を有機溶剤、若しくは水で希釈した希釈塗料又は溶媒を用いない紛体塗料として、建築物、構造物、自動車、鉄道車両、船舶、オートバイ、自転車、電気機械、金属製品、コンクリート、ガーデニング用品、家具、皮革又は模型に塗布する際の各種塗料の乾燥における気化過程での臭気に対して、作業者又はこれを利用する人のヒト唾液ＯＲＰ酸化還元電位測定装置の活用である。
【００４６】
前記テラヘルツ電磁波照射効果の実証装置の有意性を証明するために用いたヒト唾液ＯＲＰ酸化還元電位測定装置について述べる前記唾液ＯＲＰとは、その物質が他の物質を酸化しやすい状態にあるのか、還元しやすい状態にあるのかをｍＶの単位で表し、通常はプラスの高い電位は酸化状態であり、マイナスの電位は還元状態にあることを意味する。血液検査は現在の体調の状況を知らせ、尿検査は体調の結果を表し、唾液ＯＲＰ検査は近未来の体調変化の前兆をリアルタイムにとらえるのである。血液がそのまま唾液となるわけではありませんが、唾液は、血液中の成分が唾液の成分になっているので体内をめぐる血液とほぼ同じ情報を数多く持っていることも医学分野で周知され唾液測定が注目されている。
【００４７】
（１）請求項１の構成および使用方法とで構成されているので、厚生労働省が認証している医療機器であるヒト唾液ＯＲＰ測定装置「ＯＲＰreaderオルプリーダー」を用いて横浜・金沢文庫のビレモ横浜の岡澤美江子小児内科医の協力のもとに測定を実施したのである。その結果として、後述する表５〜表７は人間の健康面に及ぼす影響は、体内を還元方向に導く有意性を証明できるとして着眼した所期の目的を達成出来たのである。
【００４８】
前記テラヘルツ電磁波照射効果の実証装置を施した発明効果（１）によって、舌の上に集約される前記総体唾液、顎下腺唾液、耳下腺唾液の唾液ＯＲＰ測定によって前記テラヘルツ照射波を用いた有意性の証明に至ったのである。唾液ＯＲＰ測定とは、血液検査は現在の体調の状況（リアルタイムに変化を把握しにくい）を知らせ、尿検査は体調の結果を表すのであり、唾液ＯＲＰ測定装置を用いての有意性を確認する手段とした理由は、唾液ＯＲＰ検証は近未来の体調変化の前兆をリアルタイムにとらえられることにある。従来の体内の酸化（体調不良）状態を確認するには、体感的、又は主観的な推測に委ねられていました。検体液を唾液ＯＲＰ測定装置で科学的に客観的な数値データで体内の酸化還元状態の可視化により、テラヘルツ電磁波照射効果の医療や健康に対する実証装置を実施したのである。
【００４９】
（２）請求項１至る請求項２０も前記（１）と同様に、従来の体内の酸化（体調不良）状態を確認するには、体感的、又は主観的な推測に委ねられていました。侵襲をともなわないストレス負荷のない検体液を唾液ＯＲＰ測定装置で科学的に客観的な数値データで体内の酸化還元状態の可視化により、前記テラヘルツ電磁波照射効果の実証装置によって表１〜表３、表５〜７に示された通り、テラヘルツ電磁波照射された対象物が、人体の健康面への還元効果として食する、使用する前後の酸化還元作用が偶然に一致を示したとは考えられないのであり、前記本発明の着眼点とする前記テラヘルツ電磁波照射効果の実証装置の有意性が科学的に客観的に示されたのである。
【実施例】
【００５０】
本発明のテラヘルツ電磁波照射効果の実証装置とするテラヘルツ照射波共鳴電磁波装置の内部は壁面全面にテラヘルツ照射波共鳴電磁波シートが設けられた筐体であり、前記テラ照射共鳴電磁波装置によりテラヘルツ照射波された商材が、人間の健康面の有意性確認できるように、ヒト唾液ＯＲＰ酸化還元電位測定装置を組合せて可視化する機能が前記筐体の外部に具備され、前記テラ照射後の商品を体内摂取、又は体感後の前記ヒト唾液ＯＲＰ酸化還元電位で液晶画面で可視化できるようにして、前記テラヘルツ照射波された商品の出し入れ交換は前記筐体を覆う前記テラ照射共鳴電磁波シートを簡単に開閉できるようにし、又前記共鳴電磁波装置が気密性の高い生産ラインでの開閉扉で外気から遮断させた場合においては、前記開閉扉の内部にテラ照射共鳴電磁波シートが設置され、前記開閉扉により前記テラヘルツ照射波された商品の出し入れ交換ができることを有し、前記テラヘルツ照射波共鳴電磁波装置の制御部には温度調節ＯＮ、又はＯＦＦ制御、共鳴共振電磁波放射時間設定制御、３２〜３８テラヘルツの照射範囲制御、共鳴共振電磁波のＯＮ、又はＯＦＦの制御により、前記テラ照射動作の開始及び終了を指示する液晶画面表示で動作を確認できるようにしたのである。これらのテラヘルツ照射波共鳴電磁波材が、人間の健康面の有意性確認するために設けられた、ヒト唾液ＯＲＰ酸化還元電位測定装置は、前記テラヘルツ照射波共鳴電磁波装置筐体の外部に具備され、制御部の各制御機能の設定および動作確認、前記テラヘルツ照射波動作の開始及び終了を指示する液晶画面表示装置は前記筐体の外部に具備された前記ヒト唾液ＯＲＰ酸化還元電位測定装置の液晶画面とともに前記のテラヘルツ照射波共鳴電磁波装置が３２〜３８テラヘルツの範囲、7.9〜9.4μｍ波長範囲で前記テラヘルツ照射波を制御しているかを取り扱う作業員が常に監視できるようにしている（図せず）。前記本発明のテラヘルツ照射波共鳴電磁波装置の動作はＷi-Ｆi(商標登録)や「無線ＬＡＮ中継器」よりパソコン、携帯電話で随時、監視できるようにしたのである（図せず）。
【００５１】
テラヘルツ電磁波照射効果の実証装置が人間の健康面での有意性を証明するために、厚生労働省認可の医療機器であるヒト唾液ＯＲＰ測定装置を用いて、舌の上で採取する総体唾液、顎下腺唾液、耳下腺唾液の唾液成分及び唾液ＯＲＰ測定結果は表で示された通りである。前記の日用品の家電機器、前記食料品に広く活用でき、前記テラヘルツ照射波効果の実証装置でテラヘルツ照射波を浴びさせたものと、浴びさせていないものとの有意性を証明した唾液ＯＲＰの測定結果である。前記本発明のテラヘルツ照射波効果の実証装置によって前記テラヘルツ照射波を浴びたものと浴びていないものの各種テラヘルツ照射波共鳴電磁波材を、人間が体感、又は体内摂取したことによる人間への健康面の有意性を、従来の体感的、主観的な推測ではなく、唾液ＯＲＰ測定による指標で、口腔内の舌の上に集約される総体唾液採取での体調度、顎下腺、耳下腺の局所唾液採取によるストレス度の酸化還元作用を測定する３つの測定項目により人間の健康面での影響を数値限定で科学的、客観的に明確に有意性を可視化したのである。
【００５２】
前記テラヘルツ電磁波照射効果の実証装置において、テラヘルツは、周波数の単位であり、１テラヘルツは１秒間に１兆回の振動数のことである。テラヘルツ波は一般的に０．１〜１００テラヘルツ付近の周波数を持つ電磁波で、波長３〜３０００μｍのエネルギー帯のことであり、これは、電波と光波の中間領域になり、この領域の中には遠赤外線や育成光線も含まれるのである。前記本発明のテラヘルツ照射波効果の実証装置は、３２〜３８テラヘルツおよび波長３〜３００μｍのエネルギー帯を用いて前記テラヘルツ照射波させる対象物にテラヘルツ照射波共鳴電磁波装置によって転写し、前記テラヘルツ照射波効果の実証装置と方法で得られた前記テラヘルツ照射波共鳴電磁波材が、従来の体感的、又は主観的な推測ではなく、人間の健康面への影響を科学的にヒト唾液ＯＲＰ酸化還元電位測定よって客観的に有意性を証明したのである。よって、後述の表１、表２、表３、表５、表６、表７で示された測定結果は、前記テラヘルツ照射波共鳴電磁波は３５テラヘルツ、８．６μｍ波長に絞り込んで転写された前記テラヘルツ照射波共鳴電磁波材であり、従来のテラヘルツ、赤外線、育成光線とは明らかに異なり、本発明でのテラヘルツ照射の周波数特定ができたのである。従来においては、０．１〜１００テラヘルツおよび波長３〜３０００μｍのエネルギー帯を用いてのテラヘルツ照射波を浴びたＬＥＤ搭載のパソコン、スマホ、ゲーム機器、液晶テレビ、蛍光灯、蛍光ランプ、蛍光管、照明灯（白熱電球含む）、および通常の蛍光灯を含む生活家電製品、製品部材、又は完成製品、食糧、野菜、果実生産物、水産物である魚介類が人間の健康面での影響の有意性を数値で可視化したものはなく、３２〜３８テラヘルツの範囲、7.9〜9.4μｍ波長範囲が効果がありそうだと言われてきたが、テラヘルツ照射波共鳴電磁波浴びさせたものと、浴びさせない前記テラヘルツ照射波共鳴電磁波材が人間の健康面への有意性を比較検証する手段が見出だせなかった問題に注視し、人間の健康面への影響を科学的にヒト唾液ＯＲＰ酸化還元電位測定で客観的に有意性を証明出来ることに着眼したのである。
【００５３】
ネット検索すると、テラヘルツ照射波を浴びさせていない商材を、テラヘルツ照射波を浴びさせたかのように偽る詐欺商法を防止することが急務と考える。０．１〜１００テラヘルツおよび波長３〜３０００μｍのエネルギー帯の中から、３２〜３８テラヘルツの範囲、7.9〜9.4μｍ波長範囲が効果がありそうだと言われてきた推測にとどまらず、ヒト唾液ＯＲＰ酸化還元電位測定によって科学的に客観的有意性を証明したのが表１〜表３、表５〜表７に示したデータである。よって、前記テラヘルツ照射波効果の実証装置は、０．１〜１００テラヘルツおよび波長３〜３０００μｍのエネルギー帯の何れの範囲が、より、人間の健康面での影響を体内が還元側に有意にするものかを実証する装置である。電気（蓄電池）消費の削減、又はガソリンなどの燃費軽減、若しくは野菜、果実、魚介類の食糧生産物の増産、又は製造品の生産の増産につながる考察ができても、効率優先だけでなく、テラヘルツ照射の電磁波の照射を受けた前記照射対象を食するか、使用するかして影響を受けた被験者の唾液から、その酸化還元電位を測定し、人間の健康面での影響の有意性を数値で可視化できることで、人間が健康で未来に生きることに繋がると考える。
【００５４】
【表１】
2020204567.tif 000003
【００５５】
表１で示す通り、本発明のテラヘルツ照射を紅色合成細菌の一種である微生物肥料に前記テラヘルツ照射波共鳴電磁波は３５テラヘルツ、８．６μｍ波長に絞り込んで照射による合成により、土壌が改善されフィリピンでのココナッツ苗栽培により収穫され絞り出されたココナッツオイルの飲用を食した前後および経時変化でのヒト唾液ＯＲＰの体調度、ストレス度、薬物スクリーニングでの酸化還元反応における有意性も明確に証明されたのである。
【００５６】
【表２】
2020204567.tif 000004
【００５７】
表２で示す通り、本発明のテラヘルツ照射を紅色合成細菌の一種である微生物肥料に前記テラヘルツ照射波共鳴電磁波は３５テラヘルツ、８．６μｍ波長に絞り込んで照射による合成により、土壌が改善されフィリピンでのココナッツ苗栽培により収穫され絞り出されたココナッツオイルのうがい、歯磨き、塗布用を使用した前後および経時変化でのヒト唾液ＯＲＰの体調度、ストレス度、薬物スクリーニングでの酸化還元反応における有意性も明確に証明されたのである。
【００５８】
【表３】
2020204567.tif 000005
【００５９】
表３で示す通り、本発明のテラヘルツ照射を紅色合成細菌の一種である微生物肥料に前記テラヘルツ照射波共鳴電磁波は３５テラヘルツ、８．６μｍ波長に絞り込んで照射による合成により、土壌が改善されフィリピンでのココナッツ苗栽培により収穫され絞り出されたココナッツオイルの毛髪、肌ぬり込み用を使用した前後および経時変化でのヒト唾液ＯＲＰの体調度、ストレス度、薬物スクリーニングでの酸化還元反応における有意性も明確に証明されたのである。
【００６０】
【表４】
2020204567.tif 000006
【００６１】
表４で示す通り、インターネット販売されている通常の生産国タイの有機エキストラヴァジンココナッツオイル固形のものを１０グラム食べた前後および経時変化でのヒト唾液ＯＲＰの体調度、ストレス度、薬物スクリーニングでの酸化還元反応では、表１〜３と比較して、テラヘルツ照射されていない、前記有機エキストラヴァジンココナッツオイルを食べた前後における表４では、ヒト唾液ＯＲＰは酸化側に傾く異なる数値が示されたのである。
【００６２】
【表５】
2020204567.tif 000007
【００６３】
表５で示す通り、同じ栽培方法で前記紅色合成細菌の一種である微生物肥料にテラヘルツ照射波共鳴電磁波は３５テラヘルツ、８．６μｍ波長に絞り込んで照射による合成により、土壌が改善されフィリピンでのココナッツ苗栽培により収穫され加工されたココナッツシュガー粉末を食した前後および経時変化でのヒト唾液ＯＲＰの体調度の酸化還元反応における有意性も明確に証明されたのである。
【００６４】
【表６】
2020204567.tif 000008
【００６５】
表６で示す通り、同じ栽培方法で前記紅色合成細菌の一種である微生物肥料にテラヘルツ照射波共鳴電磁波は３５テラヘルツ、８．６μｍ波長に絞り込んで照射による合成により、土壌が改善されフィリピンでのココナッツ苗栽培により収穫され加工されたココナッツシュガーの小粒固形を食した前後および経時変化でのヒト唾液ＯＲＰの体調度の酸化還元反応における有意性も明確に証明されたのである。
【００６６】
【表７】
2020204567.tif 000009
【００６７】
表７で示す通り、同じ栽培方法で前記紅色合成細菌の一種である微生物肥料にテラヘルツ照射波共鳴電磁波は３５テラヘルツ、８．６μｍ波長に絞り込んで照射による合成により、土壌が改善されフィリピンでのココナッツ苗栽培により収穫され加工されたココナッツシュガーの緑色顆粒状を食した前後および経時変化でのヒト唾液ＯＲＰの体調度の酸化還元反応における有意性も明確に証明されたのである。
【００６８】
【表８】
2020204567.tif 000010
【００６９】
表８で示す通り、ヘヤードライヤーにテラヘルツ照射波共鳴電磁波は３５テラヘルツ、８．６μｍ波長に絞り込んで照射したものでの使用前後におけるヒト唾液ＯＲＰ測定は、体調度およびストレスの酸化還元反応における有意性も明確に示したのである。
【００７０】
【表９】
2020204567.tif 000011
【００７１】
表９で示す通り、ヘヤードライヤーにテラヘルツ照射無しでの使用前後におけるヒト唾液ＯＲＰは体調度およびストレスとも強い酸化作用を示し、表８、表９ともヒト唾液ＯＲＰは、偶然に示された酸化還元反応ではなく明らかな違いを示したのである。
【００７２】
【表１０】
2020204567.tif 000012
【００７３】
表１０で示す通り、蓄電池式の電気バリカンにテラヘルツ照射波共鳴電磁波は３５テラヘルツ、８．６μｍ波長に絞り込んで照射したものでの使用前後におけるヒト唾液ＯＲＰ測定は、体調度およびストレスの酸化還元反応における有意性も明確に示したのである。
【００７４】
【表１１】
2020204567.tif 000013
【００７５】
表１１で示す通り、電池式の電気バリカンにテラヘルツ照射無しでの使用前後におけるヒト唾液ＯＲＰは、体調度およびストレスとも強い酸化作用を示し、表１０、表１１ともヒト唾液ＯＲＰは、偶然に示された酸化還元反応ではなく、明らかな違いを示したのである。
【産業上の利用可能性】
【００７６】
これまでは、前記本発明のテラヘルツ照射波を浴びさせた各種の商材が、人間の健康面への影響を確認するには、体感的、又は主観的な推測に委ねられていました。侵襲をともなわない検体液である唾液ＯＲＰで科学的に客観的な数値データを通して、目に見えない体内の酸化（体調不良）状態、精神的なストレス状態、薬物スクリーニングの３つのテラヘルツ照射効果を数値で可視化できたことで本発明の有意性が証明できたことにより、人間の未病対策、健康寿命に大いに資すると考える。
【符号の説明】
【００７７】
ａ．テラヘルツ照射波共鳴電磁波装置。
ｂ．ヒト唾液ＯＲＰ酸化還元電位測定装置。
ｃ．液晶画面表示装置。
１.テラヘルツ照射波共鳴電磁波装置の概念図。
２.テラヘルツ照射波共鳴電磁波放射シート。
３.床面テラヘルツ共鳴電磁波放射シート。
４.ヒーター。
５.テラヘルツ共鳴電磁波放射シート２により隅々まで共振転写。
６.テラヘルツ照射波対象物の一例としてのパソコン液晶ソコン液晶。
８.スマホ、ゲームソフト、電気機器に使用する部材の液晶。
９.ＬＥＤ搭載の各種電球。
１０.丸めたテラヘルツ共鳴電磁波放射シート（蒸着アルミシート）。
１１.各種生産ラインへの活用。
１２.各種生産ライン工場の地面。
１３.テラヘルツ共鳴電磁波放射シート（蒸着アルミシート）設置への配慮。
１４.１５.転写されたテラヘルツ照射波共鳴電磁波放射シートでヘヤードライヤー、
携帯電話、眼鏡を包み込む。
１６.テラヘルツ照射波共鳴電磁波で転写している状態図。
１７.テラヘルツ照射波共鳴電磁波装置の制御および活用のブロック図。
１８.テラヘルツ照射波装置電源。
１９.制御部
２０.温度調節の制御。
２１.テラヘルツ照射波共鳴電磁波放射時間設定制御。
２２.テラヘルツ照射波が３２〜３８範囲のテラ照射制御。
２３.テラヘルツ照射波共鳴電磁波放射のＯＮ、又はＯＦＦの自動制御。
２４.温度調節のヒーター。
２５.床面テラヘルツ照射波共鳴電磁波放射シート。
２６.天井、床、壁面に張り巡らすテラヘルツ照射波共鳴電磁波放射シート。
２７. テラヘルツ照射波共鳴電磁波放射による水素イオンと電子を空気中に放出。
２８.本発明のテラヘルツ照射波共鳴電磁波放射による人間への健康面での有意性を
証明するために用いた医療機器である唾液ＯＲＰ測定装置。
２９.本発明のテラヘルツ照射波共鳴電磁波装置内に照射対象物を格納して活用。
３０.テラ照射装置を用いて転写されたシートを活用。
３１.生産ライン工場、動植物の動物生育厩舎、植物生育ハウス、食糧保管庫に活用。
３２.液晶画面表示装置。
１０１．ヒト唾液ＯＲＰ酸化還元電位測定装置。
１０２．測定時刻の表示部。
１０３．測定結果プリント排出部
１０４．ヒト唾液ＯＲＰ酸化還元電位測定装置の持ち運びの持ち手部分。
１０５．動作過程の表示の液晶部。
１０６．測定スタートボタン。
１０７．電源部。
１０８．唾液含浸綿棒差し込み箇所。
１０９．測定ＢＯＸ押し込み箇所。
１１０．測定ＢＯＸ引き出し箇所。
１１１．測定ＢＯＸ開閉扉。
【図１】
2020204567.tif 000014
【図２】
2020204567.tif 000015
【図３】
2020204567.tif 000016
【図４】
2020204567.tif 000017
【図５】
2020204567.tif 000018
【図６】
2020204567.tif 000019
【図７】
2020204567.tif 000020
【図８】
2020204567.tif 000021
【手続補正書】
【提出日】令和1年8月14日(2019.8.14)
【手続補正１】
【補正対象書類名】特許請求の範囲
【補正対象項目名】全文
【補正方法】変更
【補正の内容】
【特許請求の範囲】
【請求項１】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射対象は、家具使用の木材、食用使用の木材、住宅使用の木材、楽器使用の木材、運動用具使用の木材、味噌、醤油、酒樽などの木材乾燥の何れかであり、乾燥する際の作業者又はこれを利用する人の体調度数値又はストレス度数値から、前記テラヘルツ電磁波の照射効果を把握することを特徴とするテラヘルツ電磁波照射効果の実証装置。
【請求項２】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射対象は、紅色合成細菌の一種である微生物肥料、嫌気性バクテリア、又は好気性バクテリアの何れかであり、テラ照射された肥料により育成された植物を食した人の体調度数値又はストレス度数値から、前記テラヘルツ電磁波の照射効果を把握することを特徴とするテラヘルツ電磁波照射効果の実証装置。
【請求項３】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、人間又は動物の頭部又は身体の全部又は一部の何れかであり、体調度数値又はストレス度数値から、前記テラヘルツ電磁波の照射効果を把握することを特徴とするテラヘルツ電磁波照射効果の実証装置。
【請求項４】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射対象は、オートバイ、電気自動車、電車、各種生産工場、大規模施設、パソコン、携帯電話などに用いられる各種二次電池として使用される鉛電池、ニッケル電池、リチウムイオン電池、ＮＡＳ電池、バナジューム固形電池、キャパシタ電池、又は全固体電池の何れかであり、前記オートバイ、電気自動車、又は電車などを利用する人の体調度数値又はストレス度数値から、前記テラヘルツ電磁波の照射効果を把握することを特徴とするテラヘルツ電磁波照射効果の実証装置。
【請求項５】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、電柱に設置の変圧器、プリント基盤、電源配線、工場若しくは住宅用の配電盤若しくは分電盤、又は制御盤、送電線、電気部品、又は電子部品の何れかであり、前記工場又は住宅内にいる人の体調度数値又はストレス度数値から、前記テラヘルツ電磁波の照射効果を把握することを特徴とするテラヘルツ電磁波照射効果の実証装置。
【請求項６】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射対象は、粉珈琲、焙煎コーヒー豆、焙煎前の珈琲生まめの何れかであり、これらの対象物を利用する人の体調度数値又はストレス度数値から、前記テラヘルツ電磁波の照射効果を把握することを特徴とするテラヘルツ電磁波照射効果の実証装置。
【請求項７】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射対象は、飲料水、又は固形物の充填容器としての、ガラス瓶容器、プラスチック容器、竹筒容器、紙容器、生鮮食品又は加工食品鮮度保持フイルムの何れかであり、これを利用する人の体調度数値又はストレス度数値から、前記テラヘルツ電磁波の照射効果を把握することを特徴とするテラヘルツ電磁波照射効果の実証装置。
【請求項８】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、
を有し、 
テラヘルツ照射対象は、ノニ実（葉も含む）、又はモリンガの実（葉も含む）、アセロラ、グズベリー、ライチ、又はグァバの実、パラミツの実、ジャボチカバの実、これら収穫果実のなま物（絞り油を含む）、果実の加工生産物、ジュース若しくはその粉末、又は加工冷凍品の何れかであり、これを利用する人の体調度数値又はストレス度数値から、前記テラヘルツ電磁波の照射効果を把握することを特徴とするテラヘルツ電磁波照射効果の実証装置。
【請求項９】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、生産ラインで組み立て使用する各種部材として乗り物組み立てライン、工業製品製造組み立てライン、食糧栽培および食料製品加工乾燥製造ライン、日用生活用具の生産ライン、学校又は職場で日用生活のメンタル面の癒やし遊具の生産ライン、各種スポーツ競技用体操用具の生産ライン、各種楽器の生産ライン、各種医療機器の生産ライン、各種植物生育生産ライン、各種医療機器の生産ラインの何れかであり、この生産ラインで働く人の体調度数値又はストレス度数値から、前記テラヘルツ電磁波の照射効果を把握することを特徴とするテラヘルツ電磁波照射効果の実証装置。
【請求項１０】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射対象は、日用生活のメンタル面の癒やし用具としての遊具又は各種スポーツ用具であり、前記遊具のうち移動遊具は、おはじき、折り紙、けん玉、凧、独楽、こま、かるた、トランプ、メンコ、ベーゴマ、竹馬、羽子板、ビー玉、鞠、毬、積木、縄跳び、三輪車、自転車であり、固定遊具は、ぶらんこ、すべり台、ジャングルジム、雲梯(うんてい)、固定円木、遊動円木、各種スポーツ用具は、サッカー用具、野球用具、スキー用具、スケート用具、陸上競技用具、体操用具、バレー用具、ソフトボール用具、テニス用具、ゴルフ用具であり、これを使う人の体調度数値又はストレス度数値から、前記テラヘルツ電磁波の照射効果を把握することを特徴とするテラヘルツ電磁波照射効果の実証装置。
【請求項１１】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、医療機器又は用具としては、放射線治療装置、ＣＴ、ＭＲＩ、レントゲン装置、液晶画面保護フィルム、マッサージ器、血圧計、体温計、心臓ペースメーカー、ＣＤ、ＤＶＤ，ＵＳＢ、保育器、注射針、鍼灸針、医療用ステント、整形外科用インプラント、歯科用インプラント、マウスピース、入れ歯、手術用具としてメス、ピンセット、ハサミ、持針器、縫合糸、サクションチューブ、体内固定用ネジおよび固定用プレート、又は外科器具の何れかであり、これを利用する人の体調度数値又はストレス度数値から、前記テラヘルツ電磁波の照射効果を把握することを特徴とするテラヘルツ電磁波照射効果の実証装置。
【請求項１２】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、弦楽器のヴァイオリン、胡弓、胡琴、マンドリン、ギター、ハープ、ウクレレ、三味線、鍵盤楽器のピアノ、チェンバロ、オルガン、パイプオルガン、管楽器のクラリネット、横笛楽器のピッコロ、フルート、尺八、オカリナ、金管楽器のトランペット、トロンボーン、ホルン、多管楽器のパイプオルガン、ハーモニカ、打楽器の木製のカスタネット、木魚、拍子木、金属製の音叉、シンバル、チャイム、ベル、鈴、カウベル、鐘、マラカス、鍵盤打楽器の木琴、マリンバ、鉄琴、膜鳴楽器のドラム、太鼓、コンゴ、ボンゴ、電子楽器のテルミン、シンセサイザー、エレクトーン、キーボード、エレクトリックギター、エレクトリックピアノ、エレクトリックヴァイオリン、音響装置のスピーカー、携帯電話のスピーカーの何れかであり、これを利用する人の体調度数値又はストレス度数値から、前記テラヘルツ電磁波の照射効果を把握することを特徴とするテラヘルツ電磁波照射効果の実証装置。
【請求項１３】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、気功、鍼灸施術、アユルベーダー施術、指圧、柔道整復師による骨、関節、筋、腱、靭帯整復療法、音楽療法、温泉療法、温熱療法、アロマテラピー、按摩、波動整体療法、ハーブ療法、ホメオパシー、薬膳療法、ヨーガ、スピリチュアルヒーリング、又はゲルマニウム療法の施術者の何れかであり、施術者又は被施術者のこれを利用する人の体調度数値又はストレス度数値から、前記テラヘルツ電磁波の照射効果を把握することを特徴とするテラヘルツ電磁波照射効果の実証装置。
【請求項１４】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、石油、ガソリン、灯油、軽油、重油、天然ガス、液化天然ガス、液化石油ガス、ＬＰガス、オフガス、水素、空気、ジメルエーテル、ケロシン、石炭の何れかであり、これを利用する際の作業者又はこれを利用する人の体調度数値又はストレス度数値から、前記テラヘルツ電磁波の照射効果を把握することを特徴とするテラヘルツ電磁波照射効果の実証装置。
【請求項１５】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、生コンクリート工場生産ライン、生コン運搬車、製鉄工場生産ライン、製薬工場生産ライン、化粧品工場生産ライン、廃棄物処理工場、浄水場、工場排水、又は家庭排水口の何れかであり、これを利用する際の作業者又はこれを利用する人の体調度数値又はストレス度数値から、前記テラヘルツ電磁波の照射効果を把握することを特徴とするテラヘルツ電磁波照射効果の実証装置。
【請求項１６】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、宇宙船内、潜水艦内、航空機操縦室内、新幹線操縦室内、スポーツトレーニング室内、又はリハビリ室内、刑務所内、又は精神病棟内の設備又は壁の何れかであり、これを利用する際の作業者又はこれを利用する人の体調度数値又はストレス度数値から、前記テラヘルツ電磁波の照射効果を把握することを特徴とするテラヘルツ電磁波照射効果の実証装置。
【請求項１７】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、アイマスク、メガネ、帽子、靴下、インソール、ストッキング、衣類の肌着の何れかであり、これを利用する人の体調度数値又はストレス度数値から、前記テラヘルツ電磁波の照射効果を把握することを特徴とするテラヘルツ電磁波照射効果の実証装置。
【請求項１８】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、 
テラヘルツ照射波対象は、テーマパーク、映画館、又は各種イベント会場の入館、若しくはテーマパークのアトラクションに乗車する人であり、又は空港、港、鉄道、バス、タクシーに乗車するお客、若しくは搭乗員であり、又は各種自動車の搭乗運転者であり、前記テーマパーク、映画館、又は各種イベント会場の入館、若しくはテーマパークのアトラクションの乗車に際し、その人に第１の唾液ＯＲＰ検査を実施して、それが体調度基準値以下であるか、又はテラヘルツ照射後の第２の唾液ＯＲＰ検査を実施して、第２の唾液ＯＲＰ検査結果が前記体調度基準値以内に好転した場合に係員、又はお客の入館、若しくは前記テーマパークの乗車を許可し、前記空港、港、鉄道、バス、タクシーに乗車するお客、若しくは乗務員の搭乗等に際し、その人に第１の唾液ＯＲＰ検査を実施して、それが体調度基準値以下であるか、又はテラヘルツ照射後の第２の唾液ＯＲＰ検査を実施して、第２の唾液ＯＲＰ検査結果が前記体調度基準値以内に好転した場合にお客の乗車、又は乗務員の搭乗を許可にし、前記各種自動車の搭乗運転に際し、その人に第１の唾液ＯＲＰ検査を実施して、それが体調度基準値以下であるか、又はテラヘルツ照射後の第２の唾液ＯＲＰ検査を実施して、第２の唾液ＯＲＰ検査結果が前記体調度基準値以内に好転した場合に、前記各種自動車の搭乗運転の判断とすることを特徴とするテラヘルツ電磁波照射効果の実証装置。
【請求項１９】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、
テラヘルツ照射対象は、日用生活用品である食品の液体充填容器、食器（陶磁器およびガラス器）、籠（竹、ヤシ、トウ、ワラ、プラスチック、金属含む）、便座シート、シャワーヘッド、腕時計、柱時計、置き時計、空調用エアフィルターの何れかであり、これを利用する人の体調度数値又はストレス度数値から、前記テラヘルツ電磁波の照射効果を把握することを特徴とするテラヘルツ電磁波照射効果の実証装置。
【請求項２０】
照射筐体と、該照射筐体の内面に設けられたテラヘルツ共鳴電磁波放射シート（蒸着アルミシート）と、この前記蒸着アルミシートを所定の温度に加熱して前記蒸着アルミシートからテラヘルツの電磁波を照射対象に照射させるヒータと、を有するテラヘルツ照射波共鳴電磁波装置と、 
測定筐体と、この測定筐体内に配置されテラヘルツ照射の電磁波の照射を受けた前記照射対象を食するか、使用するかして影響を受けた被験者の唾液からその酸化還元電位を測定し、この酸化還元電位から被験者の体調度数値又はストレス度数値を含む検査結果を求める測定部と、前記検査結果から被験者の体調度数値又はストレス度数値を表示する表示部と、を有するヒト唾液ＯＲＰ酸化還元電位測定装置と、 
を有し、
テラヘルツ照射対象は、錆止め塗料、防湿・防食塗料、又は耐油の性質を利用して保護するための塗料であり、前記塗料を有機溶剤、若しくは水で希釈した希釈塗料又は溶媒を用いない粉体塗料として、建築物、構造物、自動車、鉄道車両、船舶、オートバイ、自転車、電気機械、金属製品、コンクリート、ガーデニング用品、家具、皮革又は模型に塗布する際の作業者又はこれを利用する人の体調度数値又はストレス度数値から、前記テラヘルツ電磁波の照射効果を把握することを特徴とするテラヘルツ電磁波照射効果の実証装置。